(57)【要約】  共に１つのハウジングを構成するハウジング本体及びハウジング部分と、  電気接続導線に接続されており、成形された係止バネを備える少なくとも１つの電気プラグ接点要素を有し、ハウジングが、少なくとも１つの収容チャンバを形成し、この収容チャンバに、少なくとも１つの電気プラグ接点要素が挿入され、係止バネが、収容チャンバへのプラグ接点要素の挿入後に係止突起に係合させられ、ハウジング部分が、ハウジング本体に係止可能で、少なくとも１つのロックアームを備え、このロックアームが、ハウジング部分の最終係止位置で、少なくとも１つのプラグ接点要素を収容チャンバ内に噛合い係合式に固定する、電気プラグコネクタ部品であって、ハウジング本体とハウジング部分が、プラグコネクタ部品の差込み方向に対して垂直に相対的に移動可能に配置され、予備係止位置及び最終係止位置で相並んで安定的に固定可能であり、少なくとも１つのロックアームが、ハウジング本体と共に、少なくとも１つのプラグ接点要素の係止バネ用の少なくとも１つの係止突起を形成するもの、を説明する。
2020537286.tif 000002
【特許請求の範囲】
【請求項１】
共に１つのハウジング（１０）を構成するハウジング本体（１）及びハウジング部分（２）と、
電気接続導線（４）に接続されており、成形された係止バネ（１３）を備える少なくとも１つの電気プラグ接点要素（３）を有し、
ハウジング（１０）が、少なくとも１つの収容チャンバ（６）を形成し、この収容チャンバに、少なくとも１つの電気プラグ接点要素（３）が挿入され、係止バネ（１３）が、収容チャンバ（６）へのプラグ接点要素（３）の挿入後に係止突起（１４）に係合させられ、
ハウジング部分（２）が、ハウジング本体（１）に係止可能で、少なくとも１つのロックアーム（７）を備え、このロックアームが、ハウジング部分（２）の最終係止位置で、少なくとも１つのプラグ接点要素（３）を収容チャンバ（６）内に噛合い係合式に固定する、
電気プラグコネクタ部品において、
ハウジング本体（１）とハウジング部分（２）が、プラグコネクタ部品の差込み方向に対して垂直に相対的に移動可能に配置され、予備係止位置及び最終係止位置で相並んで安定的に固定可能であること、及び、
少なくとも１つのロックアーム（７）が、ハウジング本体（１）と共に、少なくとも１つのプラグ接点要素（３）の係止バネ（１３）用の少なくとも１つの係止突起（１４）を形成すること、を特徴とする電気プラグコネクタ部品。
【請求項２】
少なくとも１つのプラグ接点要素（３）が、一体的に形成されていること、を特徴とする請求項１に記載の電気プラグコネクタ部品。
【請求項３】
係止バネ（１３）が、それぞれプラグ接点要素（３）の表面カットによって構成され、その縦方向に延在する境界線が、互いにねじれの位置に位置するように整向されていること、を特徴とする請求項１に記載の電気プラグコネクタ部品。
【請求項４】
最終係止位置で、ハウジング部分（２）とハウジング本体（１）が、協働して、電気接続導線（４）の絶縁材で被覆された部分（５）をクランプするように固定すること、を特徴とする請求項１に記載の電気プラグコネクタ部品。
【発明の詳細な説明】
【技術分野】
【０００１】
本発明は、共に１つのハウジングを構成するハウジング本体及びハウジング部分と、電気接続導線に接続されており、成形された係止バネを備える少なくとも１つの電気プラグ接点要素を有し、ハウジングが、少なくとも１つの収容チャンバを形成し、この収容チャンバに、少なくとも１つの電気プラグ接点要素が挿入され、係止バネが、収容チャンバへのプラグ接点要素の挿入後に係止突起に係合させられ、ハウジング部分が、ハウジング本体に係止可能で、少なくとも１つのロックアームを備え、このロックアームが、ハウジング部分の最終係止位置で、少なくとも１つのプラグ接点要素を収容チャンバ内に噛合い係合式に固定する、電気プラグコネクタ部品に関する。
【背景技術】
【０００２】
このようなプラグコネクタ部品は、独国特許出願公開第１０  ２００８  ０５５  ８４１号明細書から公知である。このプラグコネクタ部品は、ハウジング本体とハウジング部分から成るハウジングを備える。電気接続導線に接続されたプラグ接点要素を固定するために、ハウジング本体は、収容チャンバと、成形された突起を備え、これら突起によって、プラグ接点要素からランス状に突出する係止バネが係止可能である。ハウジング部分は、例えばフィルムヒンジを介してハウジング本体に可動に成形されているか、個々の部品としてハウジング本体の取付け箇所に取付け可能であるかのいずれかである。いずれにしても、ハウジング部分は、ハウジング本体への組立てのために旋回可能である。これは、ハウジング本体とハウジング部分が、相互に係止するまで相対的に容易に移動可能な配置を形成し、これが、組立て時の取扱いを比較的複雑にする。
【先行技術文献】
【特許文献】
【０００３】
【特許文献１】独国特許出願公開第１０  ２００８  ０５５  ８４１号明細書
【発明の概要】
【発明が解決しようとする課題】
【０００４】
本発明の課題は、その構造と組立てが特に簡単な汎用の電気プラグコネクタ部品を提供することである。
【課題を解決するための手段】
【０００５】
この課題は、本発明によれば、ハウジング本体とハウジング部分が、プラグコネクタ部品の差込み方向に対して垂直に相対的に移動可能に配置され、予備係止位置及び最終係止位置で相並んで安定的に固定可能であること、及び、少なくとも１つのロックアームが、ハウジング本体と共に、少なくとも１つのプラグ接点要素の係止バネ用の少なくとも１つの係止突起を形成すること、によって解決される。
【０００６】
独国特許出願公開第１０  ２００８  ０５５  ８４１号明細書から公知のプラグコネクタ部品とは異なり、本発明によるプラグコネクタ部品の場合、プラグ接点要素の組立てのために、取付け箇所へのハウジング部分の取付けと、ハウジング本体に対するハウジング部分の折重ねが必要ない。ハウジング本体とハウジング部分は、プラグ接点要素の組立ての時点で、安定的な予備係止位置で互いに予組立てされている。この予備係止位置で、ハウジング部分によって形成された少なくとも１つのロックアームが、ハウジング本体と共に、プラグ接点要素を係合させることができる１つ又は複数の突起を形成する。
【０００７】
僅かな外力の作用により、ハウジング本体とハウジング部分は、互いに相対的に安定的な最終係止位置へ移行させることができ、この最終係止位置で、少なくとも１つのロックアームが、プラグ接点要素をハウジング本体の収容チャンバ内に噛合い係合式に固定する。
【０００８】
プラグ接点要素の固定は、少なくとも１つのロックアームがその最終係止位置への移行時にそれぞれプラグ接点要素に成形された接点ボックスの後へ移動し、これにより接点ボックスを噛合い係合式にハウジング本体の収容チャンバ内に収容する。
【０００９】
この場合、本発明によるプラグコネクタ部品内でのプラグ接点要素の最終的な組立てが、特に迅速かつ簡単に行なわれることが有利である。両ハウジング要素、即ちハウジング本体とハウジング部分が、予備係止位置でのプラグ接点要素の挿入時に既に互いに結合されているので、最終的な組立てステップは、ハウジングの外周面への圧力による短い力の作用から成る。これにより、両ハウジング要素は、その予備係止位置から解離され、互いにその最終係止位置に移行させられ；この場合、同時にプラグ接点要素がハウジング内に噛合い係合式に固定される。
【００１０】
特に有利には、ハウジング要素は、この最終的な組立てステップ時に同時にプラグ接点要素に結合された接続導線がハウジング要素の間にクランプするように収容されるように、形成することができる。
【００１１】
同様に、ハウジング部分の少なくとも１つのロックアームが、ここで複数の機能を満足することが有利である。予備係止位置で、ロックアームは、ハウジング本体の、プラグ接点要素の係止バネを固定するために使用される係止突起を形成する。これにより、相応の突起が、ハウジング本体の成形部によって設けられる必要はなく、これが、ハウジング本体の製造を簡素化し、より安価にする。最終係止位置で、少なくとも１つのロックアームは、係止バネとプラグ接点要素の接点ボックスの両方を固定する。
【００１２】
従って、本発明によるプラグコネクタ部品は、その構成要素の同時に特に簡単な構造で簡単な組立てを可能にする。本発明の有利な形態及び発展形は、従属請求項と、図面による本発明の実施例の以下の説明からわかる。
【図面の簡単な説明】
【００１３】
【図１】プラグコネクタ部品の断面図
【図２】接続導線を有するプラグ接点要素
【図３】５つの部分図３ａ〜３ｅに複数の組み立て段階を図示するためのプラグコネクタ部品のそれぞれ１つの断面図
【発明を実施するための形態】
【００１４】
図１は、完全に組み立てられた本発明による電気プラグコネクタ部品を示す。プラグコネクタ部品は、組み立てられかつ互いに係止された２つのハウジング要素１，２、即ちハウジング本体１及びハウジング部分２から成るハウジング１０を備える。このように構成されたハウジング１０内で、少なくとも１つの収容チャンバ６内に、それぞれ電気接続導線４に接続されたプラグ接点要素３が配置されている。各接続導線４の、絶縁被覆を備えるそれぞれ１つの部分５は、ハウジング要素２の間でプラグコネクタ部品のハウジング１０外に案内されている。
【００１５】
接続導線４を結合したプラグ接点要素３は、図２の個別の図に図示されている。プラグ接点要素３の前方の部分に、内側に向かって曲げられたストリップ状の接点スタッド１８を有する接点ボックス１１が存在する。プラグ接点要素３のコンタクトボックス１１とは反対側に位置する終端部分は、圧着部分１５として形成されている。この圧着部分には、ワイヤもしくはストランドクリンプによって電気接続導線４が機械的に固定され、電気的に結合されている。
【００１６】
プラグ接点要素３は、好ましくは一体的に成形されたプレス曲げ部品として形成されている。接点ボックス１１の上面は、成形されたメタルストリップ１３によって構成され、このメタルストリップの縦エッジと横エッジは、それぞれ互いにねじれの位置に位置するように整向されている。これにより、メタルストリップ１３の異なった点が、プラグ接点要素３の底面の上の異なる高さにある。これにより、メタルストリップ１３の更に突出する部分は、力の作用時に、残りの部分に対して移動すること、及び、プラグ接点要素３のメタルストリップ１３の弾性的な結合に基づいて撓むことができる。従って、プラグ接点要素３の上面のメタルストリップ１３は、プラグコネクタ部品のハウジング１０内でのプラグ接点要素３の１次係止のために設けられた係止バネ１３を形成する。
【００１７】
図３は、５つの部分図３ａ〜３ｅに、ハウジング本体１、ハウジング部分２及び少なくとも１つのプラグ接点要素３を組み立てることによるプラグコネクタ部品の組立ての経過を示す。
【００１８】
既に述べたように、ハウジング本体１とハウジング部分２は、プラグコネクタ部品の企図した差込み方向に対して垂直に２つの係止位置に互いに位置決めすることができ、これら係止位置は、ここでは予備係止位置と最終係止位置と呼ばれ、このため、ハウジング本体１とハウジング部分２には、協働する機械的な係止要素が配置され、但し、これら係止要素は、図の断面図では識別不能である。その具体的な形態が本発明の理解のために重要でないので、詳細な説明をここでは省略する。
【００１９】
プラグ接点要素３の組立て時、ハウジング本体１とハウジング部分２は、予備係止位置で既に互いに結合されている。図３ａ〜３ｄに図示された予備係止位置は、ハウジング本体１とハウジング部分２の互いに相対的な第１の安定的な配置であり、この配置は、ハウジング要素１，２がプラグコネクタ部品の企図した差込み方向に対して垂直な結合方向に、互いに可能な最も緊密な間隔で存在するのではないことを特徴とする。
【００２０】
図３ａの断面図が示すように、両ハウジング要素１，２は、通路状の自由空間１６を形成し、この自由空間内へ、プラグ接点要素３は、その接点スタッド１８及びその接点ボックス１１を先にして挿入することができる。通路状の自由空間１６は、内部にプラグ接点要素３の接点ボックス１１を固定すべき収容チャンバ６を構成する。
【００２１】
自由空間１６内へのプラグ接点要素３の挿入時、接点ボックス１１は、図３ｂで、ロックアーム７に到達し、このロックアームの自由な終端部分１７は、若干自由空間１６内に突出する。
【００２２】
終端部分１７は、フック状のエッジを形成し、このエッジは、ハウジング本体１の相応に成形されたエッジと共にバーブ状の結合部１９を構成する。バーブ状の結合部１９は、噛合い係合によってハウジング部分２からのハウジング本体１の偶然の分離を防止する。
【００２３】
更に、ロックアーム７の自由な終端部分１７は、収容チャンバ６の方向のハウジング本体１の壁部分に係止突起１４を形成する。その上の収容チャンバ６とは反対の側に、ロックアーム７の自由な終端部分１７は、ガイドスロープ８を備える。このガイドスロープ８は、接点ボックス１１に成形された係止バネ１３が、ロックアーム７の通過時に接点ボックス１１に密接し、これにより、ロックアーム７の終端部分１７の横に沿って滑動し（図３ｃ）、この終端部分に引っかかったままにはならないことを可能にする。
【００２４】
プラグ接点要素３を更に挿入すると、係止バネ１３は、最後に、ロックアーム７によって構成される係止突起１４の後に係合し、これは、図３ｄに図示されている。これにより、プラグ接点要素３は、ハウジング１０内で既に抜けないように確保されている。
【００２５】
多極のプラグコネクタ部品の場合は、企図した極数に応じて別のプラグ接点要素３が同様にハウジング１０の別の収容チャンバ６に挿入され、各プラグ接点要素３は、まずその係止バネ１３によって行なわれる１次係止によってその収容チャンバ６内に保持される。
【００２６】
加えて、多極のプラグコネクタ部品の場合は、ハウジング部分２が、全ての収容チャンバ６の係止突起１４に対して平行に形成された唯一の広幅のロックアーム７を備えることできるか、収容チャンバ６のそれぞれ１つと協働する複数の狭幅のロック要素７を設けることができるかのいずれかである。
【００２７】
組立ての最後に、ハウジング本体１とハウジング部分２は、外力の作用によって互いに押し付けられ、これにより、その最終係止位置に移行させられる（図３ｅ）。これにより、少なくとも１つのロックアーク７は、接点ボックス１１の終端部分によって構成されかつプラグ接点要素３を収容チャンバ６内に噛合い係合式に固定する接点ショルダ１２を超えて移動する。従って、少なくとも１つのロックアーム７は、係止バネ１３の固定と、接点ショルダ１２での接点ボックス１１の固定によって、プラグ接点要素３の１次ロックと２次ロックの両方を生じさせる。この場合、両ロックは、ハウジング１０内で唯一のロック平面内で行われ、これは、プラグコネクタ部品の特にコンパクトな形成の実現に寄与する。
【００２８】
図１及び３ｅに図示された最終係止位置では、更にまたハウジング要素１，２の互いに安定的な位置決めが達成されており、ハウジング要素１，２は、いまや互いにコンパクトな配置を構成する。
【００２９】
加えて、最終係止位置の達成時、ハウジング部分２の上の部分９は、接続導線４の被覆された部分５に密接するように取り付き、この被覆された部分をハウジング本体１に押し付ける。これにより、接続導線４は、ハウジング要素１，２の間に摩擦係合式に固定される。最終係止位置の達成により、プラグコネクタ部品の組立てが終了されている。
【符号の説明】
【００３０】
１        ハウジング本体
２        ハウジング部分
１，２    ハウジング要素
３        プラグ接点要素
４        接続導線
５        部分（接続導線の）
６        収容チャンバ
７        ロックアーム（ラッチ）
８        ガイドスロープ
９        上の部分（ハウジング部分２の）
１０      ハウジング
１１      接点ボックス
１２      接点ショルダ
１３      係止バネ（メタルストリップ）
１４      係止突起
１５      圧着部分
１６      通路状の自由空間
１７      終端部分（ロックアームの）
１８      接点スタッド
１９      バーブ状の結合部
【図１】
2020537286.tif 000003
【図２】
2020537286.tif 000004
【図３ａ）】
2020537286.tif 000005
【図３ｂ）】
2020537286.tif 000006
【図３ｃ）】
2020537286.tif 000007
【図３ｄ）】
2020537286.tif 000008
【図３ｅ）】
2020537286.tif 000009
【国際調査報告】
2020537286.tif 000010
2020537286.tif 000011
2020537286.tif 000012
2020537286.tif 000013
2020537286.tif 000014